(57)【要約】  ヒーター及び／又はクーラーチャンバ（１）は、熱貯蔵ブロック又は塊（３）を含む。ブロックにおいて、多数の平行な積み重ねられたスリットポケット（１７）は各々、単一のプレート形状ワークピースを収納するように寸法付けられる。スリットポケット（７）のワークピースハンドリング開口部（１１）は、ドア配置（１３）によって解放され且つそれぞれ覆われる。スリットポケット（７）は、その中にプレート形状ワークピースをぴったりと囲むように調整されて、冷却される又は加熱されることになるワークピースと熱貯蔵ブロック又は塊（３）との間の効率的な熱輸送を確立する。
2019515484.tif 000002
【特許請求の範囲】
【請求項１】
二以上のワークピースのバッチに関するヒーター及び／又はクーラーチャンバであって、２次元に拡張された表面の各ペア及び０．０１ｍｍ≦Ｄ≦５ｍｍの、特にこのような等しいワークピースの、それによって基板又はウエハの厚さＤを有する、シート形状、フレームにおけるドラムスキン様形状、バンド又はプレート形状であり、すべてのワークピースが、構造化された又は構造化されていない拡張表面を有し且つ単一又は多層であり、特にこのようなバッチに関するデガッサヒーターチャンバであり、
−１つの単一の金属片で、又は、熱的に共通の挙動を示しこのような等しい単一のピースの金属ブロック又は塊とは無視できるほど異なるのみである、二以上の熱的に狭く結合した金属部品で作製された、熱貯蔵ブロック又は塊と；
−各々がその中に単一の前記ワークピースを適合するように寸法付けられ且つスリットポケット平面に沿って伸びる、一方が他方の上に積み重ねられた二以上の平行な且つ積み重ねられたスリットポケットを含む前記ブロックと；
−前記スリットポケットの各々においてワークピースに関するワークピース支持部と；
−少なくとも１つのワークピースハンドリング開口部を有する各スリットポケット（ｓｌｉｔ−ｐｏｃｋｅｄ）と；
−非接触のやりかたで、そのワークピース支持部の上に適用された、前記ワークピースの内の一つを囲むように調整された各スリットポケットであって、前記スリットポケットと垂直な且つ前記スリットポケット平面と平行と考えられる前記スリットポケットの広がり表面積の少なくとも３０％に沿った、前記スリットポケットの各々の高さｈが、２．５ｍｍ≦ｈ≦５０ｍｍである、各スリットポケットと；
−前記ブロックの外側の大気に関して個別のワークピースハンドリング開口部を制御可能に解放し且つ覆うドア配置へ動作可能に接続されている前記スリットポケットの少なくとも１つのワークピースハンドリング開口部と；
−前記ブロックへの少なくとも１つのヒーター及び／又はクーラー界面と、を含む、チャンバ。
【請求項２】
前記ブロックの少なくとも１つの異なる外側領域において又はそこに設けられるヒーター及び／又はクーラー配置を含み、前記界面が、前記ブロックの外表面である、請求項１に記載のチャンバ。
【請求項３】
前記スリットポケットの内の少なくともいくつかにおいて又は前記スリットポケットの内のすべてにおいて送り出すガス供給ライン配置を含む、請求項１又は２に記載のチャンバ。
【請求項４】
前記スリットポケットの内の少なくともいくつか又はすべてが、個別のワークピースハンドリング開口部が前記ドア配置によって覆われるときに実質的に気密性である、又は、前記ポケットの内の少なくともいくつか又はすべてが、その後ガス出口を含む、請求項１から３の何れか一項に記載のチャンバ。
【請求項５】
前記スリットポケットの内の少なくともいくつか又はすべてが、前記スリットポケット平面と垂直な方向において前記ブロックにおいて整列され且つ積み重ねられる、請求項１から４の何れか一項に記載のチャンバ。
【請求項６】
前記スリットポケットの前記少なくとも１つのワークピースハンドリング開口部の内の少なくともいくつか又はすべてが、前記ブロックに沿って前記方向において整列される、請求項５に記載のチャンバ。
【請求項７】
隣接するスリットポケットの内の少なくともいくつか又はすべてが、熱的に実質的に切り離される、請求項１から６の何れか一項に記載のチャンバ。
【請求項８】
前記スリットポケットが、前記スリットポケット平面と垂直な１つの方向において整列され、隣接するスリットポケットが、前記スリットポケット平面と平行と考えられる、前記スリットポケットの広がり表面積の少なくとも３０％に沿って、且つ、０．５ｍｍ≦ｄ≦１０ｍｍの前記スリットポケット平面と垂直な方向において考えられる、厚さｄを有する前記ブロックのセクションによって、前記スリットポケット平面と垂直に分離される、請求項７に記載のチャンバ。
【請求項９】
前記スリットポケットが、ワークピース支持部の上のワークピースの下でワークピースハンドラロボットの少なくとも１つのハンドリングアームを導入し除去するための、前記少なくとも１つのハンドラ開口部を通してアクセス可能な、スルーカットアウトによって、少なくとも部分的に、場合により実現される、一つ又は二以上のハンドラカットアウトを、各々その底面において、含む、請求項１から８の何れか一項に記載のチャンバ。
【請求項１０】
前記スリットポケットの内の少なくともいくつか又はすべてが、一つの単一のワークピースハンドリング開口部を含む、請求項１から９の何れか一項に記載のチャンバ。
【請求項１１】
前記ドア配置が、同時に前記ワークピースハンドリング開口部の内の少なくとも１つ、又は同時に前記開口部の内の少なくとも二以上を覆い且つ解放するように制御可能である、請求項１から１０の何れか一項に記載のチャンバ。
【請求項１２】
前記ドア配置が、期間の間に同時にすべてのワークピースハンドリング開口部を覆われた状態に維持するように制御可能である、請求項１から１１の何れか一項に記載のチャンバ。
【請求項１３】
少なくとも１つのワークピースハンドリング開口部の内の少なくともいくつか又はすべてが一つの方向において相互に整列され、前記ドア配置が、少なくとも１つのドアワークピースハンドリング開口部を有するドアプレートを含み、前記ドアプレートが、前記方向において前記ブロックに沿って且つそれに対して制御可能にスライド可能であり、前記少なくとも１つのドアワークピースハンドリング開口部を選択的に、前記スリットポケットの前記ワークピースハンドリング開口部の内の少なくとも１つと整列させ且つ整列させないようにする、請求項１から１２の何れか一項に記載のチャンバ。
【請求項１４】
前記ドアプレートが、前記相対的なスライドに関するプレート駆動部に操作可能に接続される、請求項１３に記載のチャンバ。
【請求項１５】
前記ブロックが、前記相対的なスライドに関するブロック駆動部に操作可能に接続され、好ましくは前記ドアプレートが、前記ブロックの周りの筐体の壁によって実現される、請求項１３又は１４に記載のチャンバ。
【請求項１６】
前記ブロックが、２つの側面及び前面を含み、前記ヒーター及び／又はクーラー配置が、両方の側面で又は両方の側面において位置し、前記スリットポケットの前記少なくとも１つのワークピースハンドリング開口部が、前記前面において配される、請求項１から１５の何れか一項に記載のチャンバ。
【請求項１７】
前記スリットポケットの内の少なくともいくつかにおいて又は前記スリットポケットの内のすべてにおいて送り出すガス供給ライン配置を含み、前記ガス供給ライン配置が、前記前面と反対の前記ブロックの背面に沿ってガスヒーター及び／又はクーラー配置に操作可能に熱的に接続される、請求項１６に記載のチャンバ。
【請求項１８】
前記スリットポケットが、前記側面に対して横方向に、好ましくはそれに垂直に伸びる、請求項１６又は１７に記載のチャンバ。
【請求項１９】
前記ブロックが、好ましくは前記ブロックから離間している、熱的に絶縁する筐体内に取り付けられる、請求項１から１７の何れか一項に記載のチャンバ。
【請求項２０】
前記ドア配置が、前記ワークピースハンドリング開口部と反対側の前記絶縁する筐体の壁において一つ又は二以上の制御可能なドアワークピースハンドリング開口部を含み、前記ブロックが、前記ワークピースハンドリング開口部の内の一つ又は二以上を、前記制御可能な開口部の内の一つ又はそれぞれ二以上と１列に並ばせるように構成された制御可能なブロック駆動部に動作可能に接続され、前記制御可能な開口部が、好ましくは、制御可能に駆動されるフラップ又はスライダを備える、請求項１９に記載のチャンバ。
【請求項２１】
前記ワークピースハンドリング開口部が、前記ブロックと前記絶縁する筐体との間で隙間と継続して流れが連通している、請求項２０に記載のチャンバ。
【請求項２２】
前記筐体が、前記隙間において隣接するポンプポートを含む、請求項２１に記載のチャンバ。
【請求項２３】
前記スリットポケットの内の少なくともいくつかにおいて又はすべてにおいて送り出すガス供給ライン配置を含み、前記スリットポケットにおいて送り出す前記ガス供給ラインが前記少なくとも１つのワークピースハンドリング開口部の内の個別のものと反対側である、請求項１から２２の何れか一項に記載のチャンバ。
【請求項２４】
前記スリットポケットの内の少なくともいくつかにおいて又はすべてにおいて送り出すガス供給ライン配置、及び、前記ガス供給ライン配置におけるガスに関するガスヒーター及び／又はクーラー配置を含む、請求項１から２３の何れか一項に記載のチャンバ。
【請求項２５】
請求項１から２４の何れか一項に記載のチャンバを含み、且つ、乾燥空気、Ｎ２、Ａｒ、Ｈｅの内の少なくとも１つに関する加圧ガス源配置に操作可能に接続されている前記ガス供給ラインを前記スリットポケットの内の少なくともいくつかにおいて又はすべてにおいて送り出すガス供給ライン配置を含む装置。
【請求項２６】
ワークピース処理システムであって、
以下の限定を備える請求項１から２４の何れか一項に記載のチャンバを含み、
ａ）各スリットポケットが、単一のワークピースハンドリング開口部を有し；
ｂ）スリットポケットが、スリットポケット平面と垂直な方向において、且つブロックにおいて整列して積み重ねられ；
ｃ）スリットポケットのワークピースハンドリング開口部が、前記ブロックに沿って前記方向において整列され；
ｄ）ドア配置が、環境雰囲気へスリットポケットの内部を解放し；
さらに、以下を含む、ワークピース処理システム：
−真空処理配置における真空雰囲気と環境雰囲気との間のロードロック配置を含むワークピースに関する真空処理配置；
−多数のワークピースホルダーを備え、且つ環境雰囲気における、且つ少なくとも１つのマガジンを含む、マガジン配置；
前記スリットポケット、前記マガジン配置の前記ワークピースホルダー、及び好ましくは前記ロードロック配置におけるワークピースホルダー配置もまた、平行平面に沿ったそれらの拡張表面によってワークピースを保持するように調整され；
−垂直軸の周りを好ましくは駆動的に回転可能であり且つ少なくとも１つのワークピースに関して少なくとも１つの放射状に伸縮可能な且つ格納可能なハンドリングアームを有する、環境雰囲気におけるハンドリングロボット；
前記ハンドリングロボットが、前記マガジン配置へ及びそこから、前記ロードロック配置へ及びそこから、前記チャンバへ及びそこからワークピースをハンドリングするように調整される。
【請求項２７】
前記ハンドリングロボットが、前記マガジン配置へ及びそこから、前記ロードロック配置へ及びそこから、前記チャンバへ及びそこから一度に１つの単一のワークピースをハンドリングするように構成される、請求項２６に記載のシステム。
【請求項２８】
前記マガジン配置が、二以上のマガジンを含む、請求項２６又は２７に記載のシステム。
【請求項２９】
前記ハンドリングロボットによっても供されるワークピースアライナステーションステーションをさらに含む、請求項２６から２８の何れか一項に記載のシステム。
【請求項３０】
前記チャンバがヒーター、特にデガッサチャンバであり、前記真空処理配置が前記ワークピースに関するクーラーステーションを含む、請求項２６から２９の何れか一項に記載のシステム。
【請求項３１】
請求項１から２４の何れか一項に記載のチャンバの、又は、請求項２５に記載の装置の、又は、請求項２６から３０の何れか一項に記載のシステムの使用をする、熱処理されたワークピースを製造する方法であって：
前記ブロックの所定の温度を確立するステップ
ａ）ドア配置によって個別のスリットポケットの個別のワークピースハンドリング開口部を解放した後で、前記スリットポケットの内の少なくとも１つにおいて、且つ個別のワークピース支持部の上で、ワークピースを装填するステップと；
ｂ）ドア配置によって前記ブロックの外側の大気に関して前記ワークピースによって装填された、スリットポケットの個別のワークピースハンドリング開口部を覆うステップと；
ｃ）前記スリットポケットにおいて前記ワークピースを熱的に処理するステップと；
ｄ）ドア配置によってスリットポケットの前記個別のワークピースハンドリング開口部を開放するステップと；
ｅ）前記スリットポケットから前記解放されたワークピースハンドリング開口部を通して前記熱的に処理されたワークピースを除去するステップと、を含む、方法。
【請求項３２】
その間に前記熱処理が前記スリットポケットにおいて実施されるタイムスパンを予め決定するステップを含む、請求項３１に記載の方法。
【請求項３３】
前記ステップａ）からｅ）のサイクルが、前記サイクルの内の直後のものとの間で時間差を有して異なるスリットポケットにおいて複数回実施され、その時間差は、前記熱処理に関するタイムスパンよりも短い、請求項３１又は３２に記載の方法。
【請求項３４】
前記装填が、環境雰囲気から実施され、前記除去が、周囲雰囲気内へ実施される、請求項３１から３３の何れか一項に記載の方法。
【請求項３５】
ワークピースが、前記チャンバとマガジン配置との間で、前記チャンバと前記ワークピースに関する真空処理配置との間で、前記真空処理配置と前記マガジン配置との間で運ばれる、請求項３１から３４の何れか一項に記載の方法。
【請求項３６】
前記ワークピースが、前記ワークピースに関するアライナステーションへ及びそこから運ばれる、請求項３５に記載の方法。
【請求項３７】
単一のワークピース運搬によって前記運搬を実施するステップを含む、請求項３５に記載の方法。
【請求項３８】
前記チャンバが、ｎ個の前記スリットポケットを含み、ｎより小さいｍ個のみが用いられる、請求項３１から３７の何れか一項に記載の方法。
【請求項３９】
前記スリットポケット内へのワークピースの直後の装填が、時間間隔ｄＴで実施され、各ワークピースが、所定の期間Δの間前記チャンバにおいて置かれ、Δ／ｄＴの商が、整数（Δ／ｄＴ）Ｉへ丸められ、有効なｍ＝（Δ／ｄＴ）Ｉが存在する、請求項３８に記載の方法。
【請求項４０】
前記チャンバの非直接的に隣接するスリットポケットにおいて前記ステップａ）からｅ）を直後に実施するステップを含む、請求項３１から３９の何れか一項に記載の方法。
【請求項４１】
前記スリットポケットが、一方が他方の上に積み重ねられ、まずは前記チャンバに沿って第１の方向において一つおきのスリットポケットにおいて、前記ステップａ）を実施し、前記方向を逆にして、続いては逆の方向において各残りのスリットポケットにおいて前記ステップａ）を実施する、請求項４０に記載の方法。
【請求項４２】
前記スリットポケットが、一方が他方の上に積み重ねられ、まずは前記チャンバに沿って第１の方向において一つおきのスリットポケットにおいて、前記ステップｅ）を実施し、前記方向を逆にして、続いては逆の方向において各残りのスリットポケットにおいて前記ステップｅ）を実施する、請求項４０又は４１に記載の方法。
【請求項４３】
前記スリットポケットを抜き取りすぐに再装填するステップを含む、請求項４１及び４２に記載の方法。
【請求項４４】
前記ポケットの同じワークピースハンドリング開口部を通して前記装填及び前記除去を実施することを含む、請求項３１から４３の何れか一項に記載の方法。
【請求項４５】
前記スリットポケットへ及び／又はそこから一度に１つの単一のワークピースを装填する及び／又は除去するステップを含む、請求項３１から４４の何れか一項に記載の方法。
【請求項４６】
前記熱処理の間に少なくとも、前記ワークピースに沿った且つスリットポケットから出るガスの流れを確立するステップを含む、請求項３１から４５の何れか一項に記載の方法。
【請求項４７】
前記ワークピースに沿ってガスの前記流れを確立するためにガスを予熱する又は予冷するステップを含む、請求項４６に記載の方法。
【請求項４８】
前記チャンバがデガッサチャンバであり、ガスの前記流れがフラッシングガス流である、請求項４６又は４７に記載の方法。
【請求項４９】
熱的に絶縁する筐体内に前記ブロックを提供するステップを含む、請求項４１から４８の何れか一項に記載の方法。
【請求項５０】
熱的に絶縁する筐体内に前記ブロックを提供するステップと、前記ワークピースに沿った且つ前記絶縁筐体と前記ブロックとの間の隙間内へスリットポケットから出るガスの流れを、前記熱処理の間に少なくとも、確立するステップと、好ましくはポンプによって前記隙間から前記ガスを除去するステップと、を含む、請求項４１から４９の何れか一項に記載の方法。
【請求項５１】
前記筐体の壁において且つドア配置の少なくとも１つの制御可能に閉じることができ且つ開くことができるドアによって前記筐体を囲む環境雰囲気から前記隙間を分離するステップと、前記筐体における駆動部によって前記ブロックを制御可能に動かして、前記スリットポケットのワークピースハンドリング開口部と前記少なくとも１つのドアとを整列させるステップと、を含む、請求項４９又は５０に記載の方法。
【発明の詳細な説明】
【技術分野】
【０００１】
本発明は、ワークピース脱ガスの技術における要求から生じた。それでもなお、これらの要求はまた、特定のタイプのワークピースの加熱及び冷却技術のような、より一般的な熱処理技術において支配的である。そのため、本説明において脱ガスにいくらか焦点を当てることは、本発明の範疇を制限するものとしては解釈されない。
【背景技術】
【０００２】
脱ガスとは、ガス、特に、（ｉ）水のような蒸発した液体からのガス、又は（ｉｉ）表面に付着する昇華材料から生じる蒸気、又は（ｉｉｉ）、真空技術では、周囲圧力がその蒸気圧より下に下がるとすぐに（バルク）材料からガス放出する物質、の除去を意味する。特定の真空処理プロセスでは、特に真空スパッタコーティングプロセスの脱ガスは、重要なプロセスステップである。なぜなら、残留ガスは、堆積した層の接着力低下又は堆積物における望ましくない副生成物をもたらし得るからである。
【０００３】
大気圧脱ガスと準大気圧脱ガスとは区別される。用語が示すように、準大気圧脱ガスは、周囲圧力が大気圧より下に下がり得る環境において生じる。
【０００４】
脱ガスは、基板を加熱して、ガス抜き速度を強化することによって加速され得ることが知られる。しかしながら、この方法は、特定のタイプの材料（例えばプラスチック）に関してその制限を有し得る、又は、以前のプロセスステップの結果は、（悪い）影響を受け得る。例えば、はんだバンプの融解、基板のたわみ、又は、望ましくない拡散プロセスの増加がある。ポンプ容量は、改良され得て、望ましくない蒸気及びガスをより素早く除去し得る。
【０００５】
しかしながら、ガス抜きプロセスそれ自身の物理特性は、主な制限要因のままである。画定されたプロセスステップの順序を有するインライン処理システムにおいて、単一の基板の脱ガス又はより一般的には、ワークピースの加熱はしばしば、スループットに関する決定要因となる。例えば脱ガスのためのような加熱はときどき、バッチにおいて組織される。言い換えると、複数の基板は、脱ガスを補助する加熱された環境へ一緒にさらされている。そのため、例えばバッチデガッサのような、このようなバッチヒーターはまた、基板に関する中間の貯蔵場所としての役目を果たす。
【０００６】
その結果として、後続のプロセスにおけるスループットを犠牲にするような必要なしで、熱処理時間を長くすることを可能にするためにバッチにおけるワークピースを（高度に）ガス抜きすることに関する、ワークピースのための、基板のような、ワークピースを加熱するための、それによって特に脱ガスするための装置に関する必要性が存在する。
【０００７】
本説明及び特許請求の範囲において特に対処されるワークピースは、シート形状であり、フレームにおけるドラムスキンのような形状、いわゆる太鼓の、であり、バンド又はプレート形状である。それらはすべて、２次元的に拡張された平行な表面及び対処された拡張表面のペアと垂直な厚さＤを有し、それに関して０．０１ｍｍ≦Ｄ≦５ｍｍが有効である。
【０００８】
ワークピースは、構造化された又は構造化されていない拡張表面を有し得、且つ一層又は多層であり得る。
【０００９】
例えば基板又はウエハのようなこのようなワークピースのインライン処理において、冷却プロセスステップに関する必要性もまたしばしば存在する。例えばこのようなワークピースが、例えば脱ガスのために、以前の処理段階において加熱された後で、冷却プロセスステップは、さらなる処理の前に必要とされ得る。同じ考察が、加熱プロセスステップに関して、それによって具体的には脱ガスに関して、上記で対処されたように支配的である。画定されるプロセスステップの順序を有するインライン処理システムにおいて、ワークピースの、例えば基板の冷却は同様に、スループットに関する決定要因となり得る。冷却もときどき、バッチにおいて組織される。また、例えば基板のような複数のワークピースの冷却に関して、それらは、さらに処理される又はハンドリングされる前に冷却環境へ一緒にさらされる。このようなバッチクーラーは同様に、ワークピースに関する中間の貯蔵場所としての役目を果たす。
【００１０】
したがって、プロセス全体のスループットを犠牲にするような必要なしで冷却時間を長くすることを可能にするためのバッチにおける対処されたタイプのワークピースを冷却するための装置に関する必要性も存在する。
【００１１】
いくつかの対処されたワークピース、例えば、積層基板のような基板、埋め込まれた（広がった）ダイを有するポリマーマトリクス基板、テープ上の基板、エポキシ系基板は、ＰＶＤのような後続の真空処理の前に、拡張された脱ガス時間を必要とする。バッチにおいて基板を高度にガス抜きするためのデガッサは、クラスターツールにおけるような、単一の基板プロセスであり得る、以下のプロセス順序におけるスループットを犠牲にする必要なくガス抜き時間を長くすることが可能である。
【００１２】
バッチデガッサは、例えば、ＵＳ６，４９７，７３４Ｂ１、ＵＳ７，４３１，５８５Ｂ２及びＵＳ２０１１０１１４６２３Ａ１において記載される。すべてのこれらの変形は、各基板に関する複数の個別のヒータープレートを対処する。積み重ねられた個別のヒータープレートの不利点は、高コスト及び必要とされる空間である。
【発明の概要】
【発明が解決しようとする課題】
【００１３】
そのため、最初に具体的に脱ガスを念頭に置くと、本発明の特定の目的は、製造、維持及び操作に関して効率的且つ安価であるバッチ脱ガスチャンバを提案することである。
【００１４】
より一般的な目的は、製造、維持及び操作を考慮して効率的且つ安価であるバッチ熱処理チャンバを提供することである。
【課題を解決するための手段】
【００１５】
本発明による解決法は、平行な２次元に拡張した表面の各ペア及び０．０１ｍｍ≦Ｄ≦５ｍｍの厚さを有する、二以上の対処されたワークピースのバッチに関するヒーター及び／又はクーラーチャンバである。
【００１６】
このようなチャンバは、単一の金属部品で、又は、二以上の熱的に狭く結合した金属部品で作製された、塊とも呼ばれ得る、熱貯蔵ブロックを含む。このような狭く結合した金属部品は、熱的に共通の挙動を示し、同一の１つのピースの金属ブロック又は塊とは無視できるほど異なるのみである。金属は、例えばアルミニウム又はその合金であり得る。
【００１７】
ブロックは、各々はワークピースの内の１つに適合するように寸法付けられる、一方が他方の上に積み重ねられた二以上の平行なスリットポケットを含む。各スリットポケットは、断面において考えられる、２つの部品においてこのようなスリットポケットを切る平面である、スリットポケット平面ＥＰ、幾何学的平面、に沿って伸びる。スリットポケットのスリット平面は、相互に平行である。明確にするために、スリット平面ＥＰは、ブロックＢにおいてスリットポケットＳＰに関して図１において示される。幾何学的平面ＥＰは、一点鎖線で且つ透明で（ｉｎｔｒａｎｓｐａｒｅｎｔ）あるように示される。
【００１８】
各スリットポケットは、ワークピースに関するワークピース支持部を有する。特に、いくつかの実施形態では、ガスは、スリットポケットにおいてワークピースに沿って流されるので、このようなワークピース支持部は、ワークピース表面による十分に高いスライド摩擦を提供する表面によって実現される。このようなワークピース支持部は、例えば個別の表面特性を有する短いスタッドによって、又は、スリットポケットの底における皿頭のＯリングのピースによって、実現され得る。各スリットポケットは、少なくとも１つのワークピースハンドリング開口部を有する。
【００１９】
各スリットポケットは、非接触で、近くに離間されてそのワークピース支持部の上でワークピースを囲むように調整される。これは、スリットポケット平面ＥＰと垂直な各々のスリットポケットの高さｈが２．５ｍｍ≦ｈ≦５０ｍｍであるという点において、ワークピースの可能な非平面形状、それらの厚さＤ及び薄いワークピースの可能なカテナリー（ｃａｔｅｎａｒｙ）を考慮して達成される。
【００２０】
図１において概略的に示されるこの高さｈは、スリットポケット平面ＥＰに平行な、スリットポケットの、Ａでマークされる図１における、２次元の空間（ｅｘｔｅｎｔ）領域の少なくとも３０％に沿って支配的である。それによって、ブロックからワークピースへの又はワークピースからブロックへの優れた熱交換が達成される。一実施形態では、対処されたｈ範囲は、対処された領域の少なくとも５０％に関して有効である。
【００２１】
この高さｈは、スリットポケット平面に平行なスリットポケットの２次元空間領域の１００％までの領域に沿って有効であり得る。それでもなお、ワークピースの下のハンドリングロボットアームのアクセスに関するカットアウトは、例えばこのようなカットアウトにおいて、以後議論されることになるように設けられ得、スリットポケットの高さは、場合により、対処された範囲に入らないことがある、又は、このようなカットアウトがスルーカットアウトである場合に画定されないことさえあり得る。
【００２２】
各スリットポケットの少なくとも１つのワークピースハンドリング開口部は、ワークピースハンドリング開口部を制御可能に解放し且つ覆うドア配置に動作可能に接続される。本記載及び特許請求の範囲において用いられるような「覆う」との語句は、個別のドア配置が、気密性でワークピースハンドリング開口部を閉じ得る、又は、その後まだ、スリットポケット容積からブロックの周囲へのガス漏れを確立し得る、又は、例えばワークピースハンドリング開口部から離間しているチャンバの周囲に関してワークピースハンドリング開口部を単に覆い得ることを対処する。
【００２３】
ブロックへの少なくとも１つのヒーター及び／又はクーラー界面、例えば、そこでヒーター及び／又はクーラー手段又は流体がブロックと緊密に熱的接触され得る熱的に高度に伝導性の表面領域が、設けられる。
【００２４】
ワークピースが熱処理されるスリットポケットは、ブロック内に設けられ、例えばブロックに機械加工される。
【００２５】
代わりに、ブロックは、熱的に狭く結合した複数の金属部品によって構築され得る。このような部品は、引き出しのように（ｄｒａｗｅｒ−ｌｉｋｅ）調整され得、一方が他方の上に積み重ねられ得る。これらの部品は、例えば、ステープル全体を通るねじ又はねじボルトを締めることによってステープルとして締めることによって、熱的に狭く結合される。
【００２６】
ブロックは、熱貯蔵ブロックである、つまり、熱だめとしての役目は果たし、熱的平衡がブロックにおいて達成されるとすぐに、スリットポケットにおける温度が実質的に一定に維持されることを確実にする。ワークピースハンドリング開口部を解放すること及び覆うこと、並びにスリットポケット内に異なる温度のワークピースを導入することは、ブロックの熱的状態上に無視できる効果を有する。
【００２７】
本発明によるチャンバの実施形態では、チャンバは、ブロックの少なくとも１つの異なる外側領域において又は沿って設けられるヒーター及び／又はクーラー配置を含み、ブロックのこのような外側領域は、ブロックのヒーター及び／又はクーラー界面をその後形成する。
【００２８】
本発明によるチャンバの実施形態では、ヒーター及び／又はクーラー配置は、領域が互いに面するブロックの異なる外側領域において又はそこに設けられる。そのため、チャンバのブロックは、一実施形態では、ブロックの個別の表面に沿って伸びるヒーター及び／又はクーラー配置のペアの間に実際に挟まれるようになる。
【００２９】
本発明によるチャンバの実施形態では、チャンバは、スリットポケットの内の少なくともいくつかにおいて又はスリットポケットの内のすべてにおいて送り出すガス供給ライン配置を含む。
【００３０】
このようなガス供給ライン配置を通って、ガスは、個別のスリットポケットにおいてワークピースの上をそれに沿って流され得る。チャンバがヒーターチャンバである場合、このようなガスは、ワークピースに関する昇温時間を短くするために予熱され得る。このようなヒーターチャンバが脱ガスチャンバである場合、フラッシングガス流としての対処されたガス流は、ワークピースガス抜きに由来するガス流れをスリットポケットから除去する。
【００３１】
本発明によるチャンバがクーラーチャンバの場合、同様に、確立されたガス流は、スリットポケットにおけるワークピース冷却を改善するために予冷され得る。
【００３２】
ガス供給ライン配置を通るガス流の対処された予熱又は予冷は、別個の特定のガス加熱及び／又は冷却配置によって、又は、チャンバのブロック全体の加熱若しくは冷却それぞれに関して設けられる同じヒーター及び／又はクーラー配置によって、実現され得る。
【００３３】
そのため、このようなガス供給ライン配置を通して、フラッシングガスストリームは、スリットポケットを通って確立され得る。スリットポケットは、スリットポケットからワークピースへ又は逆もまた同様に熱伝達を改善するためにガスによってさらに加圧され得る。後者は特に、ブロックにおける熱処理が真空雰囲気において開始される、つまり、ワークピースが真空雰囲気においてスリットポケット内に装填されるときに利用される。それでもなお、一実施形態では、このような装填は、周囲圧力で実施される。
【００３４】
本発明によるチャンバの実施形態では、スリットポケット、又はスリットポケットの内の少なくともいくつかは、ドア配置がワークピースハンドリング開口部を覆うときに実質的に気密性である。一実施形態では、各々のポケット又はポケットの内の少なくともいくつかに、その後いまだにガス出口が設けられる。
【００３５】
これは、例えば、カバードア配置の所望の残留漏れによって実現される。例えば、ガスが、例えば、脱ガスに関するフラッシングガスとしてスリットポケットを通って流されることになり、ワークピースに沿って且つ熱処理の間にスリットポケットから出て流されることになるときはすぐ、このようなガス出口が確立される。
【００３６】
例えば、ドア配置の個別の構造及び制御によって、選択的に、つまり、気密な方法又は漏れる方法において、覆うことを提供することが可能であるようにドア配置を構成することも可能である。
【００３７】
本発明によるチャンバの一実施形態では、少なくともいくつか又はすべてのスリットポケットは、相互に整列され且つスリットポケット平面と垂直な方向において積み重ねられる。一実施形態では、スリットポケットの少なくとも１つのワークピースハンドリング開口部の内の少なくともいくつか又はすべては、同様に、対処された方向において考慮され、相互に整列される。それによって、ハンドリング装置によって個別のスリットポケットへ及びそこからのワークピースのハンドリングは大幅に簡略化される。
【００３８】
さらに、少なくとも１つのハンドリング開口部の内の少なくともいくつか又はすべてさえ、整列される、つまり、対処された方向においてステープルされるという事実は、個別の制御可能なドア配置の実現を大幅に簡略化する。
【００３９】
本発明によるチャンバの一実施形態では、隣接するスリットポケットの内の少なくともいくつか又はすべては、熱的に実質的に切り離される。スリットポケットの熱的状態は、熱処理されたワークピースから抜き取られる又はまだ熱処理されていないワークピースによって装填される隣接するスリットポケットによって実質的に影響されない。
【００４０】
本発明によるチャンバの一実施形態では、スリットポケットは、スリットポケット平面と垂直な１つの方向において相互に整列され、隣接するスリットポケットは、０．５ｍｍ≦ｄ≦１０ｍｍのスリットポケット平面と垂直な方向において考慮され、厚さｄを有するブロックのセクションによって、スリットポケット平面と垂直に、分離される。
【００４１】
この厚さ寸法付けは、スリットポケット平面に平行と考えられるスリットポケットの延長した表面積の少なくとも３０％に関して、一実施形態では、少なくとも５０％に関して支配的である。
【００４２】
隣接するスリットポケット間のブロック材料セクションの厚さｄは、隣接するスリットポケット間の熱的分離に関して、及び２つの隣接するワークピースの拡張表面に向かう又はそこからのセクションに沿った熱流に関して、大幅に画定する。選択されるこの厚さが小さいほど、隣接するスリットポケット間の熱的分離及び熱流は悪くなる。選択されるこの厚さが大きいほど、隣接するスリットポケットの相互の熱的分離は良くなるが、チャンバ全体は、所与の数のスリットポケットに関して、より大きくなる。
【００４３】
隣接するスリットポケット間の相互の熱的影響を最小化することが意図されるので、ブロック材料の対処される厚さを可能な限り大きく調整するであろう。それでもなお、且つ厚さを上昇させることは、ブロック材料の対処されたセクションの熱的慣性を増加させ、熱的平衡に達するための増加したタイムスパンにつながるので、ｄの対処された範囲は、適切な熱流、受け入れ可能な熱的慣性、及び隣接するスリットポケット間の熱的分離、並びに、所定の範囲のブロックにおける十分な数のスリットポケットを提供するように選択される。
【００４４】
本発明によるチャンバの一実施形態では、スリットポケットは、それらの底面において、スリットポケットの少なくともワークピースハンドラ開口部からアクセス可能な一つ又は二以上のハンドラカットアウトを含む。このようなハンドラカットアウトは、ワークピース支持部上にまだ未処理のワークピースを置くために、又は、ワークピース支持部から及びスリットポケットから処理されたワークピースを除去するために、ワークピースハンドラロボットの少なくとも１つのハンドリングアームの導入及び除去を可能にする。このようなカットアウトは、熱流を制限し過ぎず且つ隣接するスリットポケットの相互の熱的分離を悪化させ過ぎることがない場合、スルーカットアウトでさえあってよい。
【００４５】
本発明によるチャンバの実施形態では、スリットポケットの内の少なくともいくつか、又はスリットポケットのすべては、一つの単一のワークピース開口部を含む。
【００４６】
特に、このような開口部が一方向においてブロックに沿って整列される場合には、ワークピースハンドリングは追加的に簡略化される。
【００４７】
本発明によるチャンバの一実施形態では、ドア配置は、同時にワークピースハンドリング開口部の内の少なくとも１つを制御可能に覆い且つ解放するように配置される。代わりに、且つ２つのスリットポケットのみが設けられる場合でさえ、二以上のワークピースハンドリング開口部が、同時に解放され得る又は覆われ得る。
【００４８】
一実施形態によると、ドア配置は、タイムスパンの間にすべてのワークピースハンドリング開口部を覆われて維持するように制御可能である又は制御される。これは、例えば、すべてのスリットポケットが個別のワークピースによって装填され、熱処理が任意のこれらのワークピースに関して終了していない場合に必要不可欠である。
【００４９】
ドア配置は、異なるやり方で実現され得る。例えば、異なるドアフラップ又はスライダは、各々のワークピースハンドリング開口部に隣接するブロックに直接取り付けられ得る。ドアフラップ又はスライダの内のすべては、一つ又は二以上の駆動部によって個別に開かれ且つ閉じられ得る。フラップの閉じている状態を制御することによって、閉じることが気密性のやりかたで実施されるかどうかを確立し得る、又は、個別のスリットポケットからのガス流が確立され得るようになる。
【００５０】
本発明によるチャンバの実施形態では、少なくとも１つのワークピースハンドリング開口部の内の少なくともいくつか又はすべては、ブロックに沿って一方向において相互に整列される。ドア配置は、少なくとも１つのドアワークピースハンドリング開口部、ＤＷＨＯを有するドアプレートによって実現される。ドアプレートは、対処された方向においてブロックに沿って且つそれに対して制御可能にスライド可能である。少なくとも１つのＤＷＨＯは、それによって、スリットポケットの整列されたワークピースハンドリング開口部の内の少なくとも１つと整列されるようになる且つ整列されなくされる。
【００５１】
二以上のＤＷＨＯが設けられる場合、個別のスリットポケットの整列されたワークピースハンドリング開口部の内の二以上は、対処された方向において考慮され、ＤＷＨＯ間の間隔が、スリットポケットのワークピースハンドリング開口部間の間隔と一致する場合、同時に解放され覆われ得る。後者がそうでない場合でさえ、二以上のＤＷＨＯを設けることは、ブロックに対するドアプレートのスライドするハブを短くして、個別のＤＷＨＯをスリットポケットのワークピースハンドリング開口部と一直線にさせる。
【００５２】
一実施形態では、ドアプレートは、相対的なスライドに関してプレート駆動部に操作可能に接続される。代わりに又は追加的に、ブロックは、ブロック駆動部に操作可能に接続される。対処されたドアプレートは、ブロックを囲むケーシングの壁によって後者の場合では実現され得る。このようなプレートは、例えば対処された壁がワークピースハンドリング開口部を有するブロックの表面から離れているかもしれないとき、それらの間に隙間を残す。今日実践される実施形態では、このようなプレート又は壁におけるＤＷＨＯは、制御可能に駆動されるフラップ又はスライダを備える。
【００５３】
これまで議論された実施形態では、塊とも呼ばれるブロックは、様々な外形を有し得る。
【００５４】
本発明によるチャンバの一実施形態では、ブロックは、２つの側面、例えば相互に平行な面、及び、側面間の且つそれらをリンクする前面を含む。ヒーター及び／又はクーラー配置は、対処された側面の両方で又は両方において位置するのに対して、スリットポケットの少なくとも１つのワークピースハンドリング開口部は前面において設けられる。それによって、一方ではヒーター及び／又はクーラー配置によって、他方ではハンドリング開口部によって、ブロック領域の分離が実現される。ブロックにおける熱流は、スリットポケットへ及びそこからワークピースを装填及び抜き取る方向と垂直に確立される。これは、チャンバの全体的な構造を大幅に簡略化する。
【００５５】
本発明によるチャンバの一実施形態では、チャンバは、スリットポケットの内の少なくともいくつかにおいて又はスリットポケットの内のすべてにおいて送り出すガス供給ライン配置を含む。ガス供給ライン配置は、対処された前面と反対の、ブロックの背面に沿って位置するガスヒーター及び／又はガスクーラー配置に操作可能に熱的に接続される。スリットポケットは、例えばそれに垂直なように、対処された側面に対して横方向に伸びる。
【００５６】
ヒーター及び／又はクーラー配置が、対処された側面及びそれに横方向に例えばそれに垂直にスリットポケット範囲（ｅｘｔｅｎｔ）の両方で、つまりそれらに沿って又はそれらにおいて設けられるとき、熱流は、隣接するスリットポケット間のブロックのセクションに沿って、それゆえ、個別のワークピース支持部上のワークピースの拡張表面に平行に流れる。対処されたセクションは、ヒーター／クーラー配置とワークピースとの間で優れた熱輸送を提供する。
【００５７】
本発明によるチャンバの一実施形態では、ブロックは、熱的に絶縁する筐体内に位置し、例えば絶縁筐体から離間している。絶縁する筐体は、ブロックとチャンバの周囲との間で熱流を塞ぐ。
【００５８】
熱的に絶縁する筐体を有するチャンバの一実施形態では、ドア配置は、ワークピースハンドリング開口部と反対側であり且つ絶縁筐体の壁において一つ又は二以上の制御可能なＤＷＨＯを含む。ブロックは、ワークピースハンドリング開口部の内の一つ又は二以上を一つ又は二以上のＤＷＨＯｓと１列に並ばせるように構成される制御可能なブロック駆動部に動作可能に接続される。そのため、例えば、２つのＤＷＨＯｓが絶縁筐体の壁において設けられる場合、ワークピースハンドリング開口部の内のいずれか２つは、２つのＤＷＨＯｓと一直線になるようにされ得る、又はワークピースハンドリング開口部の内の一つだけが選択的に、１つのＤＷＨＯと、それによってブロックの最適化された最小のハブと一直線になるようにされ得る。ブロックから離れた、絶縁筐体の壁におけるＤＷＨＯは、制御可能に駆動されるフラップ又はスライダを備える。
【００５９】
１つのさらなる実施形態では、ワークピースハンドリング開口部は、ブロックと絶縁する筐体との間で隙間と継続して流れが連通している。それによって且つ特にフラッシングガス流がスリットポケットに沿って確立される場合、ガス流は、妨げられない方法で、対処された隙間に入る。
【００６０】
１つのさらなる実施形態では、対処された筐体は、隙間からガスを除去するためのポンプポートを含む。
【００６１】
スリットポケットの内の少なくともいくつかにおいて又はスリットポケットの内のすべてにおいて送り出すガス供給ライン配置によって、ガス流がスリットポケットを通って確立される場合、このようなガス流はまた、ワークピースハンドリング開口部がドア配置によって周囲へ解放されるとすぐに、スリットポケットの汚染を防止する。
【００６２】
ドア配置が、離間した絶縁筐体の壁において一つ又は二以上のＤＷＨＯｓを含む上記で単に対処された実施形態では、対処されたガス流は、それらの開いたワークピースハンドリング開口部を通るスリットポケットの交差汚染を継続して防止し、且つ追加的に、絶縁筐体の壁におけるＤＷＨＯが制御可能に駆動されるフラップ又はスライダによって開かれるとすぐに隙間の汚染を低下させ得る。このようなガスの一部は、開いたＤＷＨＯを通して隙間に残る。
【００６３】
一実施形態では、本発明によるチャンバは、少なくとも１つのワークピースハンドリング開口部の内の１つと反対側であるスリットポケットの内の少なくともいくつかにおいて送り出すガス供給ライン配置を含む。
【００６４】
ドア配置をそれぞれ確立し制御することによって、制御されたガス流は、個別のワークピース支持部上のワークピースの拡張表面にすべて沿って確立され得る。対処されたスリットポケット内の結果として得られる圧力はまた、スリットポケットの内部と周囲との間の制御された圧力ステージ又はバルブを提供することと同様に、ドア配置を調節しそれぞれ制御することによって制御され得る。
【００６５】
スリットポケットの内の少なくともいくつかにおいて又はスリットポケットの内のすべてにおいて送り出すガス供給ライン配置を再び含む本発明によるチャンバの一実施形態では、ガス供給ライン配置におけるガスに関するガスヒーター及び／又はガスクーラー配置が設けられる。それによって、スリットポケット内でのワークピースの加熱又は冷却は、改善され得る。
【００６６】
本発明による及び上記で対処されたようなチャンバの任意の数の又はすべての実施形態は、相互に矛盾しない場合組み合わせられ得る。
【００６７】
本発明は、本発明による及び場合により上述されたそれの実施形態の内の一つ又は二以上によるチャンバを含む装置をさらに対象とする。このような装置又はシステムにおいて、チャンバは、スリットポケットの内の少なくともいくつかにおいて又はそれらのすべてにおいて送り出すガス供給ライン配置を含む。ガス供給ラインは、乾燥空気の、Ｎ２の、Ａｒの、Ｈｅの内の少なくとも１つに関して加圧ガス源配置に操作可能に接続される。
【００６８】
本発明は、本発明による及び場合によりそれの実施形態の内の一つ又は二以上による及び対処されたようなチャンバ又は装置を含むワークピース処理システムをさらに対象とし、以下の限定を有する：
ａ）ブロックにおける各スリットポケットは、単一のワークピースハンドリング開口部を有する；
ｂ）スリットポケットはブロックにおいて整列して且つスリットポケット平面と垂直な方向において、そのため、大抵の場合、スリットポケットが水平なスリットポケット平面に沿って大抵の場合伸びるときに垂直な方向において、積み重ねられる；
ｃ）スリットポケットのワークピースハンドリング開口部は、ブロックに沿って且つ対処された方向において整列される；
ｄ）ドア配置は、環境雰囲気へスリットポケットの内部を解放する。
【００６９】
ワークピース処理システムは：
−真空処理配置における真空雰囲気と環境雰囲気との間のロードロック配置を含むワークピースに関する真空処理配置；
−多数のワークピースホルダーを備える環境雰囲気における−少なくとも１つのマガジンを含む−マガジン配置、をさらに含む。
【００７０】
スリットポケット、マガジン配置のワークピースホルダー、及び好ましくはロードロック配置におけるワークピースホルダー配置もまた、平行平面に沿ったそれらの拡張表面によってワークピースを保持するようにすべて調整される。
【００７１】
システムは、一実施形態では、垂直軸の周りを駆動的に回転可能であり且つ少なくとも１つのワークピースに関して少なくとも１つの放射状に伸縮可能な且つ格納可能なハンドリングアームを有する環境雰囲気におけるハンドリングロボットをさらに含む。
【００７２】
ハンドリングロボットは、マガジン配置へ及びそこから、ロードロック配置へ及びそこから、チャンバへ及びそこからワークピースをハンドリングするように調整され且つ制御される。
【００７３】
このハンドリングは、１つの共通に沿って実現され得る。
【００７４】
それによって、省スペースのコンパクトなシステムが実現され、環境雰囲気におけるハンドリングロボットによって、対処されたユニット間のワークピースの速い且つ柔軟に制御可能なインターハンドリングが実現可能である。システム全体は、異なる必要性及び多数のマガジンへ最も柔軟に適合可能であり、同様に、真空処理配置の全体構造は、柔軟に適合され得る。対処されたロボットは、システムの追加のステーション、例えばワークピースの位置が適切に設定される特定のワークピースに関するアライメントステーションへ及びそこからワークピースをハンドリングするようにさらに利用され得る。
【００７５】
このようなアライメントステーションは、マガジン配置の一部であり得、それらがマガジン配置からチャンバへ運ばれる前にワークピースを適切に整列させ得る。
【００７６】
システムの一実施形態では、ハンドリングロボットは、マガジン配置へ及びそこから、ロードロック配置へ及びそこから、及びチャンバへ及びそこからその時１つの単一のワークピースをハンドリングするように構成される。
【００７７】
システムのさらなる実施形態では、マガジン配置は、二以上の、例えば２つの異なるマガジン、例えば、システムによってまだ処理されていないワークピースに関する、場合によりアライナを有する、一つのインプットマガジン、及びシステムによって処理されたワークピースに関するアウトプットマガジンを含む。
【００７８】
さらなる実施形態では、システムは、ロボットによっても供される、上記で対処されたようなワークピースアライナステーションを含む。
【００７９】
さらなる実施形態では、チャンバは、ヒーターチャンバ、それによって特にデガッサチャンバであり、真空処理配置は、ワークピースに関するクーラーステーションを含む。このようなクーラーステーションは、デガッサチャンバとロードロック配置との間に、そのため環境雰囲気において、代わりに設けられ得る。
【００８０】
システムのチャンバがクーラーチャンバであり得るという事実にも関わらず、本発明によるシステムの一実施形態では、対処されたチャンバはデガッサチャンバである。この場合では、ワークピースハンドリングは、場合によりアライナステーションを含むマガジン配置からデガッサチャンバへ、デガッサチャンバから真空処理配置へ、及び真空処理配置からマガジン配置へ戻って起こる。
【００８１】
本発明によるチャンバが冷却チャンバとして、むしろ、対処されたシステムによって例として、調整される場合、ワークピースは、場合によりアライナを有するマガジン配置から真空処理配置へ、真空処理配置から冷却チャンバへ、及び冷却チャンバからマガジン配置へ戻って、ハンドリングロボットによって運ばれ得る。
【００８２】
本発明は、熱処理されたワークピースを製造する方法をさらに対象とする。本方法は、本発明による、場合により個別の実施形態の内の一つ又は二以上によるチャンバの又は装置の又はシステムの使用をする。
【００８３】
本方法は、ブロックの所定の温度を最初に確立する段階を含む。その後：
（ａ）上記で対処されたようなワークピースは、ドア配置によって個別のスリットポケットの個別のワークピースハンドリング開口部を解放した後で、スリットポケットの内の少なくとも１つにおいて、且つ個別のワークピース支持部上で、装填される。
【００８４】
その後、（ｂ）ワークピースによって装填された、スリットポケットの個別のワークピースハンドリング開口部は、ドア配置によって覆われ、ワークピースはスリットポケットにおいて熱処理される（ｃ）。
【００８５】
その後、且つドア配置によってスリットポケットの、対処されたワークピースハンドリング開口部（ｄ）を解放した後で、熱処理されたワークピースは、スリットポケットのワークピースハンドリング開口部を通って除去される（ｅ）。
【００８６】
方法のいくつかの用途においてその間にワークピースが熱処理されるタイムスパンは、例えば温度センサーの配置によって例えばワークピースの温度経過をモニタリングすることによってインサイチュで決定され得るという事実にも関わらず、本発明によるによる方法の１つの変形では、その間に、対処された熱処理がスリットポケットにおいて実施されるタイムスパンが予め決定される。
【００８７】
本発明による方法の１つの変形では、対処されたステップ（ａ）から（ｅ）のサイクルは、対処されたサイクルの内の直後のものとの間で時間差を有して異なるスリットポケットにおいて複数回実施され、その時間差は、熱処理に関するタイムスパンよりも短い。
【００８８】
これは、例えば、ステップ（ａ）から（ｅ）を有する第１サイクルが、第１のスリットポケットにおいて開始され実施され、且つ、対処する第１のサイクルそれによって特に熱的処理ステップ（ｃ）を終了する前にステップ（ａ）から（ｅ）を有する第２サイクルが第２のスリットポケットで開始されることを意味する。
【００８９】
本発明による方法のさらなる変形では、スリットポケット内へのワークピースの装填は、環境雰囲気から離れて実施され、熱処理されたワークピースをスリットポケットから除去することは、環境雰囲気内へ実施される。
【００９０】
本発明による方法の１つの変形では、ワークピースは、本発明によるチャンバとマガジン配置との間で、並びに、対処されたチャンバとワークピースを処理する真空に関する真空処理配置との間で、並びに、真空処理配置と対処されたマガジン配置との間で運ばれる。そのため、ワークピースに関する真空処理が、脱ガスしたワークピースを必要とする場合、ワークピースは、デガッサチャンバとして調整されたチャンバから真空処理配置へ運ばれ、場合により冷却ステップを含む真空処理配置において処理され、その後、真空処理配置からマガジン配置へ運ばれる。それによって、対処された運搬は、中間のステーションで直接的に又はそれを介して実施され得、例えばアライメントステーションは、チャンバへの新鮮なワークピースの装填前に、つまりマガジン配置の上流若しくは下流に、又はマガジン配置の一部として、設けられ得る。
【００９１】
例えば、ワークピースの真空処理の後で、ワークピースが冷却される必要がある場合、その後且つさらなる例として、処理されていないワークピースは、例えばアライナステーションとしての、さらなるステーションで直接的に又はそれを介してマガジン配置から真空処理配置へ最初に運ばれる。真空処理されたワークピースはその後、クーラーチャンバとして調整された本発明によるチャンバへ運ばれ、そこからマガジン配置へ運ばれる。上記で対処されたように、冷却はまた、例えば真空処理配置において又はチャンバと真空処理配置と間の脱ガスステップの後で必要不可欠であり得る。
【００９２】
さらに、且つ本発明の一実施形態によるとワークピースによるチャンバの装填は、環境雰囲気から実施され、チャンバからのワークピースの抜き取りは同様に、環境雰囲気内へ起こり、対処された真空処理配置は、異なるインプット（Ｉ）ロードロック及び異なるアウトプット（Ｏ）ロードロックによって又は組み合わされたインプット及びアウトプットロードロックによって実現され得る個別のＩ／Ｏロードロック配置を介して周囲へ連通する。
【００９３】
本発明による方法の単に対処された変形のさらなる変形では、対処された運搬は、単一のワークピース運搬によって実施される。
【００９４】
本発明による方法の変形によると、チャンバは、ｎ個のスリットポケットを含むが、より少ないそのｍ個のみが用いられる。これは、チャンバの全体的なハンドリングを特定の必要性へ柔軟に適合することを可能にし、それによって、一方では対処されたチャンバへ及び／又はそこからの運搬経路を最適化し、追加的に、スリットポケットをそれぞれ装填し及び抜き取ることによって可能な限り影響を受けないようにチャンバの熱的状態を残す。
【００９５】
それによって、単に対処された変形の１つの変形では、スリットポケットにおけるワークピースの直後の装填は、時間間隔ｄＴで実施され、各ワークピースは、所定の期間Δの間チャンバにおいて置かれる。Δ／ｄＴの商は、整数へ丸められ（Δ／ｄＴ）Ｉ、有効なｍ＝（Δ／ｄＴ）Ｉが存在する。用いられたｍ個のスリットポケットのこの適切な選択に起因して、最後のスリットポケットが装填されたときにすぐ、第１の装填されたスリットポケットにおけるワークピースの熱処理が終了し、それゆえ個別のワークピースは、第１の装填されたスリットポケットから除去され得る。ｄＴ後、第２の場合において装填されたワークピースの処理は、終了される等する。そのため、スリットポケットは次々に周期的に抜き取られ再装填され得る。
【００９６】
本発明による方法の一実施形態では、段階（ａ）から（ｅ）は、チャンバの非直接的に隣接するスリットポケットにおいて直後に実施される。それによって、処理状態における、隣接するスリットポケット上の熱的擾乱が最小化されることを達成する。
【００９７】
スリットポケットが互いに積み重ねられた本発明による方法のさらなる変形では、ステップ（ａ）は、チャンバに沿って第１の方向において考えられる一つおきのスリットポケットにおいて最初に実施され、その後、対処された方向は逆にされ、対処されたステップ（ａ）は、このような逆の方向におけるすべての残りのスリットポケットにおいて後で実施される。
【００９８】
そのため、例として、最初に一つおきのスリットポケットがスリットポケットのスタックに沿って一伝播方向において装填され、その後、伝播方向は逆にされ、残りのスリットポケットが装填される。
【００９９】
同様に、一つおきのスリットポケットは、一伝播方向において、その後スタックの端で抜き取られ、伝播方向は再び逆にされ、残りのスリットポケットが抜き取られる。
【０１００】
それによって一つの及び同一のスリットポケットは、次のスリットポケットへ伝播する前に抜き取られ再装填され得る。
【０１０１】
本発明の方法によると、一つのスリットポケットの異なるワークピースハンドリング開口部を通ってワークピースを装填し且つ除去することが可能であるが、本発明による方法の１つの変形では、スリットポケットへのワークピースの装填及びそれからのワークピースの除去は、スリットポケットの同一のワークピースハンドリング開口部を通して実施される。
【０１０２】
本発明の方法によると二以上のスリットポケットそれぞれへ二以上のワークピースを同時に装填する及び／又は除去することは間違いなく可能である。本発明による方法の１つの変形では、一つの単一のワークピースのみが、一度につまり同時にスリットポケットへ装填され及び／又はそこから除去される。
【０１０３】
本発明による方法の１つの変形では、熱処理のステップの間は少なくとも、ワークピースに沿った且つ個別のスリットポケットから出るガスの流れが確立されて存在する。
【０１０４】
本発明による方法の変形では、ワークピースに沿った対処された流れを確立するガスは、ワークピースに沿ったガスの、対処された流れが確立される前に予熱される又は予冷される。
【０１０５】
本発明によるチャンバが、対処方法において、デガッサチャンバとして利用される場合、ガスの対処された流れは、フラッシングガス流として利用されて、蒸発した生成物をスリットポケットから除去する。
【０１０６】
本発明による方法のさらなる変形では、チャンバは、熱的に絶縁する筐体内に設けられる。このような熱的に絶縁する筐体によって、チャンバのブロックとチャンバの周囲との間の熱交換は、最小化される。
【０１０７】
スリットポケットにおけるワークピースを熱的に処理する間は少なくとも、熱的な絶縁筐体内にチャンバのブロックが設けられる方法のさらなる変形では、ガスの流れが、ワークピースに沿って、及び、絶縁筐体とブロックとの間の隙間内へスリットポケットから出て確立され、対処されたガスは、好ましくはポンプによって隙間から除去される。
【０１０８】
本発明による方法のさらなる実施形態では、スリットポケットは、筐体の壁において及びドア配置の少なくとも１つの制御可能に閉じることが可能な且つ開くことが可能なＤＷＨＯを介して筐体を囲む環境雰囲気から分離される。チャンバのブロックは、制御された駆動部によって筐体において制御可能に駆動的に動かされて、スリットポケットのワークピースハンドリング開口部と筐体の壁における少なくとも１つのＤＷＨＯとを整列させる。
【０１０９】
それによって、スリットポケットのワークピースハンドリング開口部は、ブロックと絶縁筐体との間の隙間によって自由に連通し得る。スリットポケットを通って確立されたガス流は、脱ガスした生成物によってスリットポケットの相互の汚染を防止する。実際に絶縁筐体の壁におけるＤＷＨＯは、隙間と筐体の周囲との間の流れ連通を確立する又は塞ぐ。絶縁筐体の壁における一つ又は二以上のＤＷＨＯｓは、個別のフラップ又はスライダを備える優れた実施形態では、制御された方法で駆動される。
【０１１０】
個別の用途に応じて、ＤＷＨＯが開いているときでさえ周囲から隙間へ向かうガス流が確立されないように、隙間において及び周囲雰囲気に関して、過度の圧力を確立することが望ましいことがある。代わりに、対処されたＤＷＨＯが開いているときに隙間から周囲へのガス流を防止するために、筐体の周囲における圧力に関してわずかに低い圧力を隙間において確立することが望ましいことがある。例えば、隙間内へガス流によって運ばれる脱ガスした生成物が有害であり、今日実践される変形では環境雰囲気である、周囲雰囲気において解放されるべきでない場合、後者は望ましいかもしれない。
【０１１１】
本発明による方法のさらなる変形では、ワークピースの少なくとも装填は、第１の圧力で真空において実施され、ワークピースによって装填される個別のスリットポケットは、ワークピースを処理する間に、第１の圧力よりも高い第２の圧力へ加圧される。それによって、真空におけるワークピースへの又はそこからの熱伝達は、改善される。
【０１１２】
本発明による及び上記で対処されたような任意の数のすべての変形は、相互に矛盾しない場合組み合わせられ得る。
【０１１３】
本発明及びそれの異なる態様は、図面の助けによっていまからさらに例示されるべきである。
【図面の簡単な説明】
【０１１４】
【図１】概略的に且つ斜視図で、最も一般的に示される本発明によるチャンバのブロックであり、スリットポケットを有し、「スリットポケット平面」との語句の定義を説明する。
【図２】いまだに概略的な簡略化された描写において、スリットポケットに沿った本発明によるチャンバのブロックを通る断面である。
【図３】図２のものと同様の描写において、本発明によるチャンバにおいて用いられるようなドア配置を実現する第１の実施形態である。
【図４ａ】図３のものと同様の描写において、ドア配置を実現するさらなる実施形態である。
【図４ｂ】いまだに図３又は４ａの描写と同様の描写において、ドア配置を実現するさらなる実施形態である。
【図５】いまだに図３及び４ａ、４ｂのものと同様の描写において、さらなる、本発明によるチャンバに設けられるような、ドア配置の今日実践される実施形態である。
【図６ａ】図２における一点鎖線Ａ−Ａに沿った且つスリットポケットの一部を通る簡略化された断面図である。
【図６ｂ】図６ａのものと同様の描写において、本発明によるチャンバにおいてスリットポケットの底セクションを場合により構造化するさらなる実施形態である。
【図７】いまだに概略的に且つ簡略化された斜視図における、本発明によるチャンバの実施形態である。
【図８】チャンバのブロックを囲む絶縁筐体を有する本発明によるチャンバの実施形態を通る概略的に且つ簡略化された断面を示す。
【図９ａ】ハンドリングロボットの移動アームを有する本発明によるチャンバの実施形態のスリットポケット上の上面図を示す。
【図９ｂ】図９ａのようなスリットポケットを通る断面を示す。
【図１０】本発明によるチャンバの実施形態を通る概略的に且つ簡略化された断面を示し、ドア配置は、閉じられた又は覆う位置においてドアワークピースハンドリング開口部−ＤＷＨＯ−を有するドアプレートを含む。
【図１１】図１０のものと同様の描写において、本発明による及び図１０の実施形態によるチャンバの実施形態を通る断面を示し、それによって、ドアプレートは、最も低いスリットポケット（左手描写）及び最も高いスリットポケット（右手描写）を解放する。
【図１２】図１０及び１１のものと同様の描写において、本発明によるチャンバの実施形態を通る断面を示し、ドア配置のドアプレートは、ＤＷＨＯが２つの隣接するスリットポケット間で中間の位置である位置においてスリットポケットのすべてのワークピースハンドリング開口部を覆う。
【図１３】図１０から１２のものと同様の描写において、ドア配置が２つの、独立して駆動されるドア配置によって実装される本発明によるチャンバの実施形態の一部を示す。
【図１４】図１０から１３のものと同様の描写において、ドア配置が、駆動されるブロックによって動作され、ブロックが、２つの異なる位置において示される本発明によるチャンバの実施形態を通る断面を示す。
【図１５】斜視図において、本発明によるチャンバのスリットポケットの底セクションの実施形態を示す。
【図１６】本発明によるチャンバを使用する本発明によるシステムのブロック図描写を示す。
【図１７】概略的な且つ簡略化された描写において、図１６によるシステムの一実施形態を示す。
【図１８】スリットポケットステープルでワークピースによるスリットポケットの占有時間の描写を示す。
【発明を実施するための形態】
【０１１５】
本発明は、図面の助けによって、脱ガスにいくらか焦点を当てて、ここでさらに説明されるであろう。
【０１１６】
図２は、最も概略的に且つ単純化された、断面表示における、本発明によるチャンバ１のブロック３の一部を示す。例えば、図２において図示されないねじ又はねじボルトによって、最も狭い熱的結合を確立するために、相互にバイアスされた、複数の金属部品で、５で破線において示されるように、解釈されるブロック３の、又は、アルミニウムのような若しくはアルミニウム合金のような、金属の単一のピースのブロック３内で、スリットポケット７が設けられる。スリットポケットは、相互に平行であり、且つスリットポケット平面ＥＰに沿って伸びる。図２による描写において、スリットポケット平面ＥＰは、座標系ｘ／ｙ／ｚのｘ／ｙ平面に平行である。スリットポケット７は、一方が他方の上に積み重ねられ、それによって、それらは必ずしもｙ方向において整列されていない。スリットポケット７は、図２において図示されない上記で対処されたようなワークピースに関するワークピース支持部９を、概略的に示されるように、含む。
【０１１７】
スリットポケット７は、ワークピースハンドリング開口部１１を有する。一方で、図２の実施形態において、各スリットポケット７は、１つの単一のワークピースハンドリング開口部１１を有し、このようなワークピースハンドリング開口部は、示されるワークピースハンドリング開口部１１の反対の、個別のスリットポケット７の端に追加的に設けられ得る。
【０１１８】
チャンバ１は、スリットポケット７のワークピースハンドリング開口部１１を選択的に解放する又は覆うために、図２に概略的に示される、ドア配置１３をさらに含む。ドア配置１３に対する制御入力Ｃ１３によって図２において概略的に示されるように、ドア配置１３は、ワークピースハンドリング開口部１１の解放する／覆う状態に関して制御可能である。
【０１１９】
図３から５は、最も概略的に且つ図２のものと同様の描写において、図２のようなドア配置１３を実現する例を示す。
【０１２０】
図３によると、ドア配置１３は、ブロック３に旋回可能に又はスライド可能に（図示されない）取り付けられた、スライダ（図示されない）又はフラップ１５を含む。フラップ１５又はスライダの各々は、制御入力Ｃ１７で示されるように制御される、駆動ユニット１７によって駆動される。
【０１２１】
破線で図２に示されるように、特にチャンバ１がデガッサチャンバである場合、ガス供給ライン１９は、少なくともいくつかのスリットポケット７において、通常はすべてのスリットポケット７において、排出する。ガス供給ライン１９は、図２の２１で概略的に示されるように加圧ガス源に操作可能に接続される。
【０１２２】
図３の実施形態に戻り、ガス供給ライン１９によってスリットポケット７に沿って且つそれを通るガス流Ｆを確立することを念頭に置いて、特にチャンバ１がデガッサチャンバである実施形態において、フラップ１５又はスライダは、この実施形態では、気密の方法において又はガス流Ｆに関するガス出口を確立する漏れる方法においてのいずれかでワークピースハンドリング開口部１１を閉じる。フラップ１５又はスライダが、気密の方法において又は漏れる方法においてのみでワークピースハンドリング開口部１１を密封するかどうかは、駆動ユニット１７の制御によって設定され得る。
【０１２３】
図４ａによると、図２の時点でのドア配置１３は、プレート２３及び、図４ａに例示されるように、１つのＤＷＨＯ２５によって実現される。図４ａによる例では、プレート２３は、Ｃ２７で制御される、プレート駆動部２７に操作可能に接続される。プレート２３は、ブロック３の表面に沿って駆動的に且つ制御可能にスライドされて、ＤＷＨＯ２５をワークピースハンドリング開口部１１と選択的に一直線になるようにする。プレート２３とブロック３との間に、ギャップ２８が画定される。
【０１２４】
確立されたガス流Ｆを念頭に置いて、ギャップ２８を通ってプレート２３とブロック３の表面との間にガス出口が継続して設けられる。
【０１２５】
図４ａの描写から離れて、図４ｂは、さらなる実施形態に対処する。この実施形態では、符号Ｓによって図４ａにおいても示されるように、ＤＷＨＯ２５を有するプレート２３は静止して維持されるのに対して、スリットポケット７を有するブロック３は、Ｃ２９で概略的に示されるように制御される、ブロック駆動部２９に操作可能に接続される。ブロック駆動部２９によって、ブロック３は、プレート２３に沿ってスライドされて、ＤＷＨＯ２５をワークピースハンドリング開口部１１の１つと選択的に一直線にさせる。ここでも、ブロック３の表面とプレート２３との間の小さな隙間又はギャップ２８は、スリットポケット７からチャンバ１の周囲へのガス流通路を提供する。
【０１２６】
図５による実施形態は、図３及び４の描写と同様に簡略化され且つ概略的な描写において再び、実際は図４ｂによる実施形態から逸脱する。それは、今日実践されるような実施形態を概略的に示す。図４ｂのプレート２３は、そこでワークピースハンドリング開口部１１が設けられるブロック３の表面から離間している絶縁筐体３３の壁３１によって実現される。ブロック３は、ＤＷＨＯ３５を有する壁３１に沿って、Ｃ２９を介して制御される、ブロック駆動部２９によって駆動される。フラップ３７又はスライダは、ＤＷＨＯ３５を閉じる又は解放するために、壁３１に移動可能に取り付けられる。そのため、壁３１、ＤＷＨＯ３５及びフラップ３７のドア配置又はスライダは、ワークピースハンドリング開口部１１を覆う、又は、チャンバ１の周囲雰囲気ＡＴへ向かってこのようなワークピースハンドリング開口部１１を解放するかのいずれかである。これは、個別のワークピースハンドリング開口部１１がＤＷＨＯ３５と整列される位置においてブロック３が駆動したときはすぐ、フラップ３７又はスライダが開かれる。フラップ３７又はスライダは、制御入力Ｃ３９を介して概略的に示されるように制御される駆動部３９によって制御可能に駆動される。
【０１２７】
図４及び５によるすべての実施形態では、プレート又は壁は、二以上のワークピースハンドリング開口部１１を同時に解放するための、又は、個別のプレートによって若しくはブロックによって行われ、その後ワークピースハンドリング開口部１１を解放しなくてはならないハブを最適化するためのいずれかの、二以上のＤＷＨＯを含み得る。
【０１２８】
図５を念頭に置いて、且つ、例えば脱ガスフラッシュとして図２によるガス流Ｆが確立される実施形態と組み合わされて、以下が支配的である：
ガス流Ｆは、壁３１とブロック３の表面との間の隙間Ｉにスリットポケット７から自由に出る。これは、スリットポケット７の交差汚染を防止する。このようなガス流は、周囲ＡＴにおける圧力に関して十分に高い圧力を隙間Ｉにおいて提供し、それは、フラップ３７又はスライダを省略することが可能でさえあり得る。
【０１２９】
一実施形態では、今日実践されるように、ポンプ４３に操作可能に接続されるポンピングポート４１が、筐体３３の壁において、設けられる。
【０１３０】
隙間Ｉにおいて、実際には主に周囲圧力である、周囲ＡＴにおける圧力よりもわずかに高い圧力が確立され得て、フラップ３７又はスライダがＤＷＨＯ３５を解放したときはすぐ、隙間Ｉから周囲ＡＴへのガス流を確立する。それでもなお且つ脱ガスした生成物が有害であり且つ周囲ＡＴ内へ送り出されるべきでない場合、そのとき隙間Ｉにおける圧力は、周囲ＡＴにおける圧力よりもわずかに低いように選択され制御され得て、フラップ３７又はスライダが開かれたときはすぐ、周囲ＡＴから隙間Ｉ内へのガス流を確立する。図２の加圧ガス源２１からスリットポケット７を通って流れるガスは、処理される（ｔｒｅａｄｅｄ）ことになる個別のワークピースが酸化に関して重要でない場合、乾燥空気、そうでなければＮ２、Ａｒ、Ｈｅの内の少なくとも１つであり得る。
【０１３１】
図６は、ブロック３の一部を通る図２の線Ａ−Ａによる断面の一部を概略的に示し簡略化した。図２に導入されるような座標系は図６にも示される。スリットポケットの各々は、それに関して有効な高さｈ：２．５ｍｍ≦ｈ≦５０ｍｍを有する。
【０１３２】
高さｈのこの範囲は、図１によるスリットポケット平面ＥＰに平行なｘ／ｙ平面に沿ってスリットポケット７の表面積全体の少なくとも３０％に関して又は少なくとも５０％に関してさえ支配的である。スリットポケット７では、本記載の導入部において対処されたようなワークピース５０は、スリットポケット７の底面に沿って取り付けられるＯリング材料の片によって実現される、図６の実施形態における、ワークピース支持部４９の上で支持される。それによって、ワークピース支持部４９は、多くの異なる変形において構成され得るが、ワークピース５０に接触するワークピース支持部の表面がそれと共に十分な摩擦を提供してワークピース５０の安定な支持部を確実にすることが確かめられるべきである。ワークピース５０は、０．０１ｍｍ≦Ｄ≦５ｍｍの範囲内で厚さＤを有する。
【０１３３】
スリットポケット７の底面では、一つ又は二以上のカットアウト５１が加工され得る。このようなカットアウト５１は、破線で示されるように、ハンドラのアーム５３がワークピース支持部４９の支持部表面の下のスリットポケット７に入ってこのようなワークピース５０を置く又は除去することができるために必須であり得る。
【０１３４】
直接的に隣接するスリットポケット７を、ｚ方向において、分離するブロック３のセクション５２は、隣接するスリットポケット７の相互の熱的分離、に沿ってそこで熱流ＨＦ、及び、ブロック３のいたるところで安定した温度を確立するための期間、に関して実際に有意である。
【０１３５】
これらのセクション５２が厚さｄを有すべきでありそれに関して：０．５ｍｍ≦ｄ≦１０ｍｍが有効であることが認識されてきた。
【０１３６】
この厚さ範囲ｄは、ｘ／ｙ平面に平行な図６におけるスリットポケット平面ＥＰに沿って個別のスリットポケット７の拡張された表面積の少なくとも３０％又は５０％にさえに沿って支配的であるべきである。
【０１３７】
カットアウトが厚さｄに関する対処された範囲を満たす場合、それらは、考慮されることになるスリットポケット表面積の広がりの対処される少なくとも３０％に貢献する。
【０１３８】
二重矢印Ｉ／Ｏは概略的に、スリットポケット７内への及びそこからのロボットアーム５３の動きを表す。
【０１３９】
二重矢印Ｆは、場合により確立されたガス流を表す。
【０１４０】
図６ｂは、図６ａのものと同様に描写において、セクション５２が、５１ａで示されるようなスルーカットアウトを含むカットアウト５１、５１ａを含む実施形態を示す。このようなスルーカットアウト５１ａ及びそれらの幅によって覆われる表面積が十分に小さい場合、それらは、熱流、直接的に隣接するスリットポケット７の相互の分離、及びブロック３全体の動的な熱的挙動に実質的に負の影響を与えないかもしれない。
【０１４１】
本発明によるバッチデガッサチャンバ７１の一実施形態は、図７に示される。高い熱伝導性金属のブロック７２は、複数のスリットポケット７４を特徴とする。２つの隣接するスリットポケット２の間に位置したブロックのセクションがラベル付けされる７５。スリットポケット７４は、金属の１つのピースのブロックに機械加工され得る、又は、ブロック７２は、参照符号５で図２において対処されたように、いくつかの部品から組み立てられ、それによって、単一のピースの粉末の（ｍｅａｌ）ブロック７２から無視できるほど異なるのみである、結果として得られるブロック７２の熱的挙動を確実にする。セクション７５は、図６のセクション５２と一致する。
【０１４２】
ブロック７２は、ブロック７２の側壁７３上の加熱配置７８のヒーター素子７６によって加熱される。ブロック７２の側壁７３を用いること、及び空のその頂面及び底面を残すことによって、スリットポケット７４すべてに沿った一様な温度プロファイルが達成される。
【０１４３】
個別のヒーター素子７６を有する加熱配置７８は、ブロック７２の側面又は表面７３への多数のねじ（図示されない）によって、バイアスされる。矢印ＨＦは、ブロック７２を通る加熱配置７８からの熱流を概略的に示す。ブロック７２の外側面又は側面７３は、この実施形態では、ブロック７２へのヒーター界面を形成する。
【０１４４】
ブロック７２を有する対処されたチャンバがクーラーチャンバとして調整される場合、そのとき加熱配置７８は、個別の冷却素子を有する冷却配置によって置き換えられ、表面７３は、クーラー界面になり、熱流ＨＦの方向は逆になる。
【０１４５】
図６による文脈においてすでに議論されたように、ブロック７２を有するチャンバのこの実施形態においても、スリットポケット７４の底面は、個別のスリットポケット７４から装填される又は除去されることになるワークピースの下の、ハンドリングアーム、図６における５３、を導入する又は除去するための中央のハンドラカットアウト７８を含む。
【０１４６】
再び、カットアウト７８の底に関してスリットポケット７４の高さｈが図６ａによる文脈において記載される範囲を超える場合、このようなカットアウト７８は、スリットポケット７４の水平範囲全体の３０％未満又は５０％未満を占めるべきである。明らかに、このようなカットアウト７８は、それらの領域がスリットポケット７４のその範囲へ寄与するほど深いのみであり得、高さｈに関する上述した範囲を満たす。
【０１４７】
ワークピース５０の支配的な形状及び厚さＤに依存して（ｄｅｐｅｎｄｅｎｔ  ｆｒｏｍ）、高さｈは以上のように適合される。
【０１４８】
支配的なワークピース形状及び厚さとスリットポケット７４の高さｈとの関係は、一方では、ワークピース及びスリットポケット７４の頂壁及び底壁間の熱伝達を最適化するように、他方では、このようなガス流が望まれる場合に、ワークピース５０の拡張表面に沿ったガス流を可能にするように、選択される。ワークピース５０の支配的な形状（図７に図示されない）が、その適切な重量に起因したスリットポケットにおいて特定のたるみを有するワークピースに起因し得ることを考慮すべきである。
【０１４９】
本発明によるチャンバは、特にそれらの厚さＤ及びたるみ特性に関して異なって調整されたワークピースに関して柔軟に利用可能であるべきである。
【０１５０】
対処されたように、ブロック３、７２のスリットポケット７、７４は、相互に熱的に切り離されるべきであり、同様に、スリットポケット７、７４の内の１つへ又はそこからワークピース５０を装填する及び除去することが、その中でワークピース５０が熱処理される直接的に隣接するスリットポケットに無視できる程度に流入するのみであることが可能であるべきである。隣接するスリット（ｓｌｉｐ）ポケット７、７４間の熱的相互結合は、隣接するスリットポケット７、７４を相互に分離するセクション５２（図６）又は７５（図７）の厚さによって主に画定される。
【０１５１】
一方では、スリットポケット７、７４の優れた相互の熱的分離のための、他方では、熱的擾乱時の素早い熱的平衡を確立するための、且つ、ブロック３、７２の所定の範囲又は高さに沿って最適な数のスリットポケット７、７４を提供するための、セクション５２、７５の寸法付けに関するトレンドオフ（ｔｒｅｎｄ  ｏｆｆ）を考慮して、厚さｄは、すでに対処されたように、以下の範囲：０．５ｍｍ≦ｄ≦１０ｍｍ内になるように選択される。
【０１５２】
図８は、本発明によるバッチデガッサチャンバ１の実施形態を、簡略化して且つ概略的に、示す。加熱されることになるワークピース５０は、スリットポケット７４の内部で、ピンの上のように、ワークピース支持部４９の上に位置付けられる。各々のスリットポケット７４は、好ましくは、図２のようなパージガスライン１９を介してガス供給され、粒子を回避するためにフィルター８０を備え得る。パージガスライン１９は、それがスリットポケット７４に入る前に、加熱されたデガッサブロック７２においてパージ又はフラッシュガスを予熱することが意図された長さｐｇを有するシャローガスキャビティ８１を含み得る。ガス入口は、ワークピースハンドリング開口部１１と反対のスリットポケットの上部において好ましくは配される。なぜなら、それは、ワークピース５０に沿った、特に、ガス抜きが特に要求されるその頂面に沿ったガス流を達成するための目的だからである。
【０１５３】
バッチデガッサブロック７２は、筐体８６において位置付けられる。この筐体８６は、ブロック７２の熱損失を回避するために適切な隔離８８を含み得る。筐体８６内部のブロック７２の固定された位置のこの概念は、垂直な駆動部（ｚ駆動部）の大きなハブ又はストロークを有する移動アームを備えるワークピース装填ロボットに関して提案される。その後、デガッサブロック７２のスリットポケット７４の最大数は、垂直なｚ駆動部ストロークの範囲によって制限される。
【０１５４】
図９ａ及び９ｂは、ピン４９の上に置かれたワークピース５０を有するスリットポケット７４を通る、上面図（ａ）及び水平断面（ｂ）を示す。スリットポケット７４は、ワークピース５０の装填及び抜き取りを可能にするためにワークピースハンドリング開口部１１によって片側に開かれる。反対側上で、ポケットの内側輪郭は、円形のワークピース５０、ここではウエハの外側形状にマッチするように丸められるので、ブロック７２内部の優れた熱伝達を可能にする。ピン４９の位置は、移動アーム５３によるワークピース５０の安全な操作を可能にする。スリットポケット７４の内側輪郭は、移動の間に移動アーム５３及びワークピースを取り上げるのに十分広く機械加工されるだけである。その結果として、スリットポケット−７４−容積は、最小化され、スペーサーセクション−７５−プロファイルは、最大化されて、最も良い可能な熱伝達が支持されるようになる。パージガスライン１９は、ワークピースハンドリング開口部１１と反対側に配される。予熱ガスキャビティ８１は、単一の直線ライン８３ａ又は分布したラインのネットワーク８３ａ、ｂ、ｃであり得る。
【０１５５】
図８のものと同様の（ａｎａｌｏｇｕｅ）描写において示される、図１０の実施形態は、図４ａの実施形態と主に一致する。ドアプレート９０は、ブロック７２の前面のサイズの本質的に２倍のサイズの平坦なプレート形状デザインを有する。それは、図１０において示されるようなドアプレート９０の真ん中に好ましくは配される、ワークピースハンドリング開口部１１とおよそ同じ形状の１つのＤＷＨＯ９２を示す。ドアプレート９０は、矢印ＤＰによって示される方向において駆動部２７によって垂直に移動可能である。ドアプレート９０とワークピースハンドリング開口部１１との間にギャップ２８が存在する。図１０では、ドアプレート９０は、閉じられたすべてのスリットポケット７４によって位置付けられる。
【０１５６】
図１１は、最も低いスリットポケット７４ｌ（左）における及び最も上のスリットポケット７４ｕ（右）におけるワークピースを装填する又は抜き取るように位置付けられているドアプレート９０を示す。ドアプレート９０は、アクセスされることになるスリットポケット７４を例外として、装填／抜き取り操作の間にすべてのスリットポケット７４が閉じられて維持することを可能にする。位置は、センサー若しくはマーキングによって、又は、駆動部２７としてのステッピングモーターの助けを借りて電子的に、のいずれかで決定され得る。
【０１５７】
代替実施形態は図１２に示され、移動可能なドアプレート９０におけるＤＷＨＯ９２が２つの隣接するスリットポケット７４間のスペーサーセクション７５の前面によって覆われるこのような厚さｄをスペーサーセクション７５が有する。これは、ドアプレート９０を動作するときに優位点を有する。なぜなら、多くの「ポケット間で完全に閉じられた」位置（スリットポケット７４の数より１つ少ない）が存在するからである。しかしながら、デガッサスタックの所与の最大高さでは、上述したバージョンにおいてよりも少ないワークピース５０が処理され得るという不利な点が存在する。
【０１５８】
図１３は、方向ＤＰａ、ＤＰｂにおいて独立して制御可能に移動可能である２つのドアプレート９０ａ、９０ｂを有する他の一つの代替実施形態を示す。２つのＤＷＨＯ９２ａ、９２ｂは、「閉じられた」構成を有するように限られた量オフセットされる。貫通開口部ＤＷＨＯは、両方の開口部９２ａ、９２ｂを整列させることによって素早く実現され得る。この解決法は、より良い熱的分離を可能にしつつ、スリットポケット７４のコンパクトな配置をいまだに可能にするであろう。
【０１５９】
すべてのそれらの実施形態に関して、装填操作は以下を含むであろう：
−デガッサブロック内部に空のスリットポケットを決定する段階。これは、個別の（占有された／フリーの）信号を与えるセンサーによって、又は、スリットポケットの状態を監視する電子的コントローラによって、のいずれかで実現され得る。このようなコントローラは、装填／抜き取りハンドリングシステムへ「すべてのポケットが満たされた」信号を送信することもあり得る。
−ブロックにおいて個別のワークピースハンドリング開口部を有するＤＷＨＯを整列させることによってフリーなスリットポケットへのアクセスを与える段階。
−ｚ動作（つまり、図１０から１２による実施形態において垂直に）を実施することが可能なハンドラ上にワークピースを配し、且つ、ＤＷＨＯによってハンドラを整列させる段階。
−ＤＷＨＯを通してスリットポケット７４内へワークピースを導入する段階。
−ワークピース支持部の上にワークピースを配する段階。
−スリットポケットからハンドラを引っ込める段階。
−個別のドアプレートによってスリットポケットのワークピースハンドリング開口部を覆う段階。
【０１６０】
特に、垂直なｚ駆動部を有する移動アーム５３が利用可能でない場合、今日実践されるような代替解決法は、図１４に示されるようにブロック駆動部２９によって筐体８６内部でブロック７２全体を垂直に動かすことである。この実施形態は主に、図４ｂ又は図５の実施形態に一致する。この場合、例えばブロック７２のｚ動きによって、制御される、図５によるフラップ３７又はスライダ（図１４に図示されない）が設けられることもあり得る筐体８６における画定された位置に配される少なくとも１つのＤＷＨＯが存在する。図１４は、同じ図において、ブロック７２の、下げられた「すべて閉じられた」位置、及び、ブロック７２の、最も低いスリットポケット７４を装填する又は抜き取るための、より高い位置を示す。パージガスライン１９は、任意のガスフィルター８０の前に柔軟なライン７３によってブロック７２の垂直な動きを支持しなくてはならない。二重矢印ＤＢは、筐体８６におけるブロック７２の動きを示す。
【０１６１】
ドアプレートの又はブロックの垂直変位に関する駆動部は、ブロックの上に又は下に配され得るので、装填及び抜き取り操作が起こる任意の空間をブロックしないであろう。
【０１６２】
バッチデガッサに関するさらなる要件は、それが時々効率的にきれいにされる必要があることである。ガス抜き材料は、特定の冷却スポットで凝縮し蓄積し得、汚染された表面、剥離又は汚れをもたらし得る。複数の部品のブロック３に関して、例えば上記で且つ５で図２による文脈において対処されたように、図１５によるこのような部品の設計は、スリットポケット７の簡略化された製造またそれらの容易な洗浄という優位点を有する。Ａｌプレート３ａでは、キャビティは、頂部から機械加工されて、移動アームに関するカットアウト５１、ワークピース支持部としてのエッジ４９及びガス入口１９を含む。プレート３ａは、４つの角すべての上に貫通穴９６を有して、簡単な方法において任意の数のプレート３ａの山を積み重ねバイアスをかける。硬質基板による通常用途に関して、大気環境における移動アームが真空グリッパーによって基板を保持し得るので、移動アームに関するカットアウト５１は最小化され得ることが言及されなくてはならない。この場合では、基板を解放することに関して、（図１５の場合における下方へ）小さな離れる動きのみが、ハンドラ／グリッパーの後退を可能にするために必須である、又は、小さな離れる動きは必要でない。
【０１６３】
本発明の重要な特徴は、ブロック３、７２が、高い伝熱性材料で作製されることである。均一な温度プロファイルの保持を支持する、筐体３１、８６に埋め込まれたブロック３、７２を有することが有利である。ドアプレートはまた、この温度均一性に寄与する。ワークピースがスリットポケット７、７４の内の１つ内に装填されるとすぐに、一次的な熱の流出が生じるであろう。実施例：３００ｍｍの直径及び０．７７ｍｍの厚さを有するシリコンウエハを室温から１５０℃へ加熱するためには、１１ｋＪｏｕｌｅのエネルギーを必要とする。このエネルギーが、例えば３２０ｍｍの直径及び例えば５ｍｍの厚さを有する提示されたスペーサーセクション５２としてアルミニウムのスラブから受けられ得る場合、このセクション５２の温度は、１７℃減少するであろう。しかしながら、ワークピースとスペーサーセクション５２との間の熱交換は、ブロック３、７２内の熱伝導性と比べて比較的遅く、ヒーター素子の助けに起因して、ブロック３、７２は、関連のある温度非均一性を経験しないであろう。
【０１６４】
提案されたチャンバは、好ましくは、大気圧で動作する。しかしながら、基本的な思想は、低圧脱ガスに関しても適用され得る。ガス圧力が＞１ｋＰａの場合、効果的な伝導熱伝達が可能である。
【０１６５】
窒素は、好ましいパージ又はフラッシュガスである。なぜなら、それは、基板上の前処理デバイスの、可能性のある酸化を回避するからである。窒素の熱伝導性は、かなり良く（以下の表を参照）、それは低価格である。アルゴン又はヘリウムもまた用いられ得る。ヘリウムは、優れた熱伝導性を有するが、この場合では、それは、コスト的理由のために濾出速度を低く維持するために必要不可欠であり得る。他方では、窒素は、同様の質量に起因して水蒸気のように、除去されることになる分子への優れた運動量伝達を有する。
【０１６６】
Ｎ２  ０．０２６  Ｗ／ｍＫ
Ａｒ  ０．０１６７  Ｗ／ｍＫ
Ｈｅ  ０．１４９  Ｗ／ｍＫ
【０１６７】
ｎ個のポケットを有する本発明によるバッチデガッサに関する工程順序は、以下のように見え得る：
１）ブロックを温度設定点、典型的には１５０℃へ加熱する
２）ＤＷＨＯを最も低いスリットポケット、Ｎｏ．１へ位置付ける
３）ワークピースをスリットポケットＮｏ．１内に装填する
４）覆う位置にＤＷＨＯを位置付ける
５）スリットポケットＮｏ．１において、窒素の流れを約５０から１０００ｓｓｃｍ、好ましくは１００ｓｓｃｍに調節する
スリットポケットＮｏ．２に関してスリットポケットＮｏ．ｎまでステップ２から５を繰り返す。
【０１６８】
抜き取りは、以下のように起こることになり、スリットポケットＮｏ．１に関してここで説明される：
１）スリットポケットＮｏ．１における窒素流れのスイッチをオフにする
２）ＤＷＨＯをスリットポケット、Ｎｏ．１へ位置付ける
３）ワークピースをスリットポケットＮｏ．１から真空処理ツールの真空ロードロックへ抜き取る。これは、基板の冷却又は凝結を避けるために、このような冷却が後続のワークピース処理に関して望まれない限り、最も短い可能な時間において起こるべきである
４）新しいワークピースをスリットポケットＮｏ．１に装填する
ワークピースの連続的処理に関して、装填／抜き取り順序は適切に繰り返される。上の順序は基本的にＦＩＦＯ（先入れ先出し）挙動を記載する。しかしながら、これは、ブロックにおける十分なワークピースが熱的平衡に達したときに必要不可欠でないかもしれず、そのときランダムアクセスもまた実現され得る。
【０１６９】
本発明によるバッチチャンバは、以下の特徴の内の少なくとも１つを組み込み得る：
−６から５０個のカットアウトスリットポケットを有し優れた熱伝導性を有する材料で作製されたコンパクトなブロック。ブロックは、単一ピースから作製され得る又は個別の部品から組み立てられ得て、上述のような１つのコンパクトなブロックを形成する。
−このブロックは、側壁から加熱され、隔離された筐体において位置し得る。
−スリットポケットにおける安全なワークピースハンドリングのための最小容積を有し、且つ、ブロックの側壁からスリットポケットの内部へ優れた熱伝達を可能にするスリットポケット。
−スリットポケット間のスペーサーセクションは、最適化された高さを有し、且つ、装填されたワークピースへの最適化された熱伝達を提供するために設計される。
−ブロックと筐体との間でのスライドするドアプレートは、ワークピースが装填される又は抜き取られるのに必要とされるスリットポケットを開くのみである。
−スライドするドアプレートに関して、すべてのスリットポケットが閉じられる少なくとも１つの位置を提供する。
−代わりに、ブロック全体が、筐体において動き、筐体におけるＤＷＨＯは、スリットポケットに関する遮断として機能する。
【０１７０】
このようなバッチチャンバを用いるための方法は、以下の特徴の内の少なくとも１つを有する：
−連続的なモードにおいて、各ワークピースは、同じ時間の間（ＦＩＦＯ）ポケットにおいてとどまるようになる。
−熱を移動し且つ脱ガス材料をフラッシュするために窒素又は他の一つのガスを用いること。
−不要な冷却を回避するために、真空ツールの真空ロードロックへワークピースの移動に関する最小時間を可能にすること。その結果として、基板は、空のロードロックが利用可能になるまで、ポケットにおいてとどまり得る。
【０１７１】
図１６では、本発明による熱処理チャンバを用いるワークピース処理システムが概略的に示される。このチャンバ１００は、それによって構成されて以下の特徴を有する：
ａ）各スリットポケットは、単一のワークピースハンドリング開口部を有する。
ｂ）スリットポケットは、通常は水平に向けられるので、スリットポケットは、スリットポケットと垂直な方向において、例えば垂直な方向において、ブロックにおいて整列して積み重ねられる。
ｃ）また、スリットポケットのワークピースハンドリング開口部は、横方向の変位無しでブロックに沿った対処された方向において整列される。
ｄ）ドア配置は、ＡＡによって図１７において表される周囲の環境雰囲気へスリットポケットの内部を解放する。
【０１７２】
本発明によるチャンバ１００の他に且つ対処された制限によって、環境雰囲気ＡＡから真空処理配置内で真空雰囲気を分離するロードロック配置１０４を有する真空処理配置１０２が設けられる。少なくとも１つのマガジンを有し且つ場合によりアライナ（図示されない）を有するマガジン配置１０６がさらに設けられる。ロードロック配置１０４は、ワークピースがチャンバ１００において個別の支持部上のワークピースに平行に支持されるとすぐ、ワークピース支持部を含む。同様にマガジン配置１０６におけるワークピースは、チャンバ１００及びロードロック配置１０４においてこのようなワークピースに平行に支持される。ワークピース支持部のこれらの平面が異なる平面であり得るという事実に関わらず、このような平面に垂直なそれらの相互の距離は、単一の平面を形成するすべてのこれらの平面まで最小化される。
【０１７３】
二重矢印及び破線によって示されるように、さらなるステーション、例えばアライナステーションを場合により介して、マガジン配置１０６へ及びそこから、チャンバ１００へ及びそこから、真空処理配置１０２へ及びそこからワークピースハンドリングを実施するハンドリングロボット１０８がさらに設けられる。脱ガス、つまり、デガッサチャンバとしての対処されたチャンバ１００を用いること、に関して具体的に調整されたこのようなシステムは、図１７において概略的に且つ簡略化されて示される。
図１６によるチャンバ１００は、デガッサチャンバ１００ｄｇとして実現される。図１６のハンドリングロボット１０８は、環境雰囲気ＡＡにおいてハンドリングロボット１０８’として実現され、且つ、デガッサチャンバ１００ｄｇへ及びそこから単一のワークピース５０を運ぶように構成される。
【０１７４】
図１６の真空処理配置１０２は、マルチステーション、ワークピースインプット及びアウトプットに関するＩ／Ｏロードロック１０４’を備える単一のワークピース処理配置、並びに、単一のワークピース真空処理に関する多数のステーションとして実現される。これらのステーションは、例えば、デガッサチャンバ１００ｄｇから到着する冷却ワークピース５０に関する冷却ステーション１１１を含み得、後続の真空得処理の前にさらに冷却される必要がある。ワークピース５０に関する処理方向は、矢印Ｐｒによって図１７において示される。インプット／アウトプットロードロック１０４’の他に、後続のステーションはさらに、当業者に完全に知られるように、エッチングステーション、ＰＶＤに関する層堆積ステーション、ＣＶＤプラズマ強化若しくは非プラズマ強化等に関する、反応性又は非反応性であり得る。
【０１７５】
垂直軸１１０周りに旋回可能であり且つ少なくとも１つの伸縮可能且つ格納可能なハンドリングアーム１１２を有するハンドリングロボット１０８’は、単一の基板５０によってロードロック１０４’の装填及び抜き取りを実施する。
【０１７６】
図１７に示されるような例では、マガジン配置１０６は、３つの個別のマガジン及びアライナ１１４を含む。ロボット１０８’は、真空処理されたワークピースをロードロック１０４’からアウトプットマガジンへ、且つ未脱ガスのワークピースを配置１０６のインプットマガジンからデガッサチャンバ１００ｄｇへ運ぶ。
【０１７７】
図１７の特定の例では、且つ処理されることになる特定のワークピースに関して、対処されたワークピース５０がそれによって幾何学的に整列させるアライナ１１４が追加的に設けられる。この特定の実施形態では、未処理のワークピースは、マガジン１０６ａにインプットされ、その後矢印（ａ）によって対処されるようにアライナ１１４において幾何学的に配向され、矢印（ｂ）によって示されるようにデガッサチャンバ１００ｄｇへアライナ１１４から運ばれるので、実際にアライナ１１４はマガジン配置１０６全体の一部であると言われ得る。示されるようなシステムにおいて設けられるようなすべてのこれらのステーションとチャンバとの間のすべてのハンドリングは、ロボット１０８’によってのみ実施される。
【０１７８】
すなわち、対処された制限によって、本発明によるチャンバへ及びそこから、且つそれによって環境雰囲気においてこのような運搬を実施する少なくとも２以上のさらなるステーションへ及びそこからワークピース運ぶためのこのようなシステムによるアプローチはまた、チャンバ１００における冷却ワークピースに関して及び様々な他のステーション構成に関して明確に適用され得る。
【０１７９】
図１８は、ｔによって対処された水平軸に沿って、ワークピースによる４４個の積み重ねられたスリットポケットの占有時間を示す。垂直軸は、一方が他方の上に重ねられた多数のスリットポケットに対処する。
【０１８０】
ｎ個のスリットポケット、ここでｎ＝４４である、を有するチャンバの処理において分かり得るように、少しの数ｍのみ、ここでｍ＝１０、のスリットポケットが利用される。これは、この例において処理されるワークピースが所定の熱処理時間Δを必要とし、ワークピースが続いて時間差ｄＴを有するチャンバの個別のスリットポケットにおいて装填されるという事実に起因する。
【０１８１】
チャンバにおけるｍ個の用いられたスリットポケットは、整数へ丸められたΔ／ｄＴの商を形成することによって決定され得る。そのため、ｍ個のスリットポケットがｄＴの時間差によって装填された後で、最初に装填されたワークピースの処理に関するタイムスパンΔは経過し、このようなワークピースは、個別のスリットポケットから抜き取られ得る。図１７による処理から明らかなように、チャンバへの後続の装填操作を調整するタイムスパンｄＴは実際には、真空処理配置１０２のスループットレートによって主に決定されることになる。
【０１８２】
特に図１７によるシステムの実際の操作を表している図１８からさらに分かり得るように、チャンバ１００へのワークピースの装填操作は、直接的に隣接するスリットポケットにおいて後で実施されない。例としての図１８に示されるように、装填は、一つおきのスリットポケットにおいて実施される。そのため、その間にワークピースが個別のスリットポケットにおいてとどまる図１８における黒い欄による占有時間から分かるように、図１８の処理による装填は、スリットポケット数の順序において占有している：３、５、７、９、１０、８、６、４、２、１。
【０１８３】
抜き取りは、図１８により、以下の順序において実施される：３、５、７、９、１０、８、６、４、２、１。
【０１８４】
その結果として、あらゆるスリットポケットは、順序における次のスリットポケットの抜き取り及び装填に伝わる前に、ワークピースから抜き取られ得且つワークピースによってすぐに再装填され得る。
【０１８５】
直接的に隣接するスリットポケットの装填及び抜き取りをしないことは、直接的に隣接するスリットポケットが装填／抜き取り動作によって引き起こされるような熱的擾乱による影響が有意に少ないという優位点を有する。
【０１８６】
図１８に示されるような処理は具体的には図１７に示されるようなシステムによって利用されるが、それはまた、本発明による調整されたスリットポケットのチャンバを有する適切な異なるシステム全体において利用され得る。
【図１】
2019515484.tif 000003
【図２】
2019515484.tif 000004
【図３】
2019515484.tif 000005
【図４ａ】
2019515484.tif 000006
【図４ｂ】
2019515484.tif 000007
【図５】
2019515484.tif 000008
【図６ａ】
2019515484.tif 000009
【図６ｂ】
2019515484.tif 000010
【図７】
2019515484.tif 000011
【図８】
2019515484.tif 000012
【図９ａ】
2019515484.tif 000013
【図９ｂ】
2019515484.tif 000014
【図１０】
2019515484.tif 000015
【図１１】
2019515484.tif 000016
【図１２】
2019515484.tif 000017
【図１３】
2019515484.tif 000018
【図１４】
2019515484.tif 000019
【図１５】
2019515484.tif 000020
【図１６】
2019515484.tif 000021
【図１７】
2019515484.tif 000022
【図１８】
2019515484.tif 000023
【国際調査報告】
2019515484.tif 000024
2019515484.tif 000025